(57)【要約】【課題】冷却ユニットの排熱を回収するための冷媒回路の構成を簡素にすることができる自動販売機を得ることを目的とする。【解決手段】  冷却ユニット１０に第２凝縮器５９および冷媒の流路を切り換える冷媒回路切替手段を設け、商品収納庫１に蒸発器５６が配置された冷却ダクト１７と、第２凝縮器が配置された加熱ダクト７０と、冷却ダクト１７または加熱ダクト７０の一方に風路を切り換える風路切替手段２０と、加熱ダクト７０の加熱吹出口７２を閉塞する風路閉塞手段４０とを設け、第２凝縮器における熱交換によって庫内の空気を加熱する。さらに、風路切替手段２０の加熱ダクト７０の加熱吸込口７１を開閉する加熱遮風材３１と風路閉塞手段４０の吹出口閉塞材４１とを連係し、同期して傾動させる。さらに、循環ダクト吹出口１６を開閉する冷却遮風材２１が下降した際、これによって加熱遮風材３１が押し開かれる。【選択図】        図１
2005309849.tif 000002
【特許請求の範囲】
【請求項１】
断熱材によって囲まれ一面に開口部が設けられた筐体と、商品を搬出する商品搬出口が設けられ前記開口部を開閉自在な断熱扉とを具備する商品収納庫と、
該商品収納庫内に配置され、商品を収納して順次下方に搬出する機能を有する商品ラックと、
前記商品ラックから落下した商品を前記商品搬出口に誘導するシュータと、
前記シュータの下方に設置され、空気を送る送風手段が配置された送風ダクトと、
該送風手段によって送られた空気を前記商品ラックの内部を経由して前記送風手段に戻すための循環ダクトと、
該循環ダクトと前記送風ダクトとを連結し、後記蒸発器が配置された冷却ダクトと、
該循環ダクトと前記送風ダクトとを連結し、後記第２凝縮器が配置された加熱ダクトと、
前記循環ダクトを流れる空気を前記冷却ダクトまたは加熱ダクトの一方に流入させるために風路を切り換える風路切替手段と、
冷媒を圧縮する圧縮器と、該圧縮器によって圧縮された冷媒を凝縮する第１凝縮器および第２凝縮器と、該第１凝縮器または第２凝縮器の一方または両方によって凝縮された冷媒を減圧する膨張機構と、該膨張機構によって減圧された冷媒を蒸発させる蒸発器と、前記圧縮器と第１凝縮器と第２凝縮器と減圧機構と蒸発器とをそれぞれ連結して冷媒を循環させる冷媒回路と、該冷媒回路に設置され冷媒の流路を切り換える冷媒回路切替手段とを具備する冷却ユニットとを有し、
前記風路切替手段を切り換えて前記循環ダクトから冷却ダクトに空気を流入させ、かつ、前記冷媒回路切替手段を切り換えて前記蒸発器に冷媒を流入させると共に前記第２凝縮器への冷媒の流入を停止することによって商品収納庫内の空気を冷却すること、
あるいは、前記風路切替手段を切り換えて前記循環ダクトから加熱ダクトに空気を流入させ、かつ、前記冷媒回路切替手段を切り換えて前記蒸発器への冷媒の流入を停止すると共に前記第２凝縮器に冷媒を流入させることによって商品収納庫内の空気を加熱することを特徴とする自動販売機。
【請求項２】
断熱材によって囲まれ一面に開口部が設けられた筐体と、商品を搬出する商品搬出口が設けられ前記開口部を開閉自在な断熱扉とを具備する商品収納庫と、
該一方の商品収納庫および他方の商品収納庫のそれぞれに配置され、商品を収納して順次下方に搬出する機能を有する商品ラックと、
前記商品ラックから落下した商品を前記商品搬出口に誘導するシュータと、
前記シュータの下方に設置され、空気を送る送風手段が配置された送風ダクトと、
該送風手段によって送られた空気を前記商品ラックの内部を経由して前記送風手段に戻すための循環ダクトと、
該循環ダクトと前記送風ダクトとを連結し、後記蒸発器が配置された冷却ダクトと、
該循環ダクトと前記送風ダクトとを連結し、後記第２凝縮器が配置された加熱ダクトと、
前記循環ダクトを流れる空気を前記冷却ダクトまたは加熱ダクトの一方に流入させるために風路を切り換える風路切替手段と、
冷媒を圧縮する圧縮器と、該圧縮器によって圧縮された冷媒を凝縮する第１凝縮器および第２凝縮器と、該第１凝縮器または第２凝縮器の一方または両方によって凝縮された冷媒を減圧する膨張機構と、該膨張機構によって減圧された冷媒を蒸発させる蒸発器と、前記圧縮器と第１凝縮器と第２凝縮器と減圧機構と蒸発器とをそれぞれ連結して冷媒を循環させる冷媒回路と、該冷媒回路に設置され冷媒の流路を切り換える冷媒回路切替手段とを具備する冷却ユニットとを有し、
前記第１凝縮器から所定の加熱温度の冷媒を第２凝縮器に供給すると共に、前記他方の商品収納庫において、前記風路切替手段を切り換えて前記循環ダクトから加熱ダクトに空気を流入させて該空気を加熱し、
さらに、前記第２凝縮器において凝縮された冷媒を前記一方の商品収納庫の凝縮器に供給すると共に、前記一方の商品収納庫において、前記風路切替手段を切り換えて前記循環ダクトから冷却ダクトに空気を流入させて該空気を冷却することを特徴とする自動販売機。
【請求項３】
前記商品収納庫が複数であって、該商品収納庫のそれぞれが前記加熱ダクトと送風ダクトとの連通部である加熱吹出口を開通または閉塞する風路閉塞手段を有し、かつ、該商品収納庫のそれぞれに設置された前記加熱ダクトが連通し、
前記商品収納庫の一方を冷却する際、該一方の商品収納庫の風路切替手段を切り換えて前記循環ダクトから冷却ダクトに空気を流入させて前記循環ダクトから加熱ダクトへの空気の流入を停止し、かつ、前記冷媒回路切替手段を切り換えて該一方の商品収納庫の前記蒸発器に冷媒を流入させると共に、前記風路閉塞手段によって前記加熱ダクトと送風ダクトとの連通部である加熱吹出口を閉塞することによって商品収納庫内の空気を冷却すること、
および、前記商品収納庫の他方を加熱する際、該他方の商品収納庫の風路切替手段を切り換えて前記循環ダクトから冷却ダクトへの空気の流入を停止して前記循環ダクトから加熱ダクトに空気を流入させ、かつ、前記冷媒回路切替手段を切り換えて該他方の商品収納庫の前記蒸発器への冷媒の流入を停止させると共に前記第２凝縮器に冷媒を流入させ、さらに、前記風路閉塞手段によって前記加熱ダクトと送風ダクトとの連通部である加熱吹出口を開通することによって商品収納庫内の空気を加熱することを特徴とする請求項１または２記載の自動販売機。
【請求項４】
前記風路切替手段が、前記循環ダクトと加熱ダクトとの連通部である加熱吸込口を開閉する加熱遮風材と、該加熱遮風材に固定された駆動アームとを具備し、
前記風路閉塞手段が、前記加熱ダクトと送風ダクトとの連通部である加熱吹出口を開閉する吹出口閉塞材と、該吹出口閉塞材に固定された従動アームとを具備し、
前記駆動アームと従動アームとが連係アームによって連結されることにより、前記加熱遮風材の開閉によって、これに連係して前記吹出口閉塞材が開閉されることを特徴とする請求項３記載の自動販売機。
【請求項５】
前記風路切替手段が、前記循環ダクトと冷却ダクトとの連通部である循環ダクト吹出口を開閉する冷却遮風材と、該冷却遮風材に固定されて下方に延設された押し開き突起と、前記循環ダクトと加熱ダクトとの連通部である加熱吸込口を開閉する加熱遮風材と、該加熱遮風材を所定方向に向かって付勢するバネとを具備し、
前記冷却遮風材が前記循環ダクト吹出口を開通した際、前記加熱遮風材は前記バネによって所定方向に向かって付勢されて前記加熱吸込口を閉塞し、
一方、前記冷却遮風材が前記循環ダクト吹出口を閉塞した際、前記加熱遮風材はこれに当接した前記押し開き突起によって押し開かれて前記加熱吸込口を開通することを特徴とする請求項３または４記載の自動販売機。
【請求項６】
前記冷媒がＨＣ冷媒またはＣＯ2冷媒であることを特徴とする請求項１乃至４の何れかに記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
図７は従来の自動販売機を示す側面視の縦断面図である。
商品収納庫１の断熱扉１２（図中、左側）の下部には、製品取り出し用の商品搬出口５が設けられ、商品搬出口５に向かって傾斜したシュータ２が配置され、シュータ２が商品収納庫１の内部を上下に仕切っている。
そして、シュータ２の上方に商品３を集積するための商品ラック４が配置され、商品ラック４の下段には商品３を切り出す切り出し装置１３が設置されている。
また、シュータ２の下方に、空気冷却手段としての蒸発器５６と、空気加熱手段としてのヒータ７と、送風手段としての送風ファン９とを収容する熱交換室９０が配置されている。
【０００３】
さらに、商品収納庫１の後面壁１４（図中、右側）と略平行に、所定の間隔の循環ダクト１１が配置されている。循環ダクト１１の上部には商品ラック４の位置に到達して開口する循環ダクト吸込口１５が、循環ダクト１１の下方には熱交換室９０に連通して開口する循環ダクト吹出口１６がそれぞれ設けられている。
したがって、送風ファン９によって送られた空気は、シュータ２に設けられた通気孔（図示しない）を通過し、商品ラック４の内部を経由して循環ダクト１１に吸い込まれ、再び熱交換室９０に戻ってくるから、空気は商品収納庫１内を循環することになる。
【０００４】
シュータ２は、前方（図中、左側）に向けて漸次低くなるように傾斜し、商品ラック４から落下した商品３を商品搬出口５を経由して商品取り出し口１０にまで送り出すものである。また、シュータ２には、送風ファン９が吹き出した空気（冷却または加熱された空気）をシュータ２の上方に流して、商品収納庫１の内部で循環させるための通気穴（図示しない）が設けられている。
【０００５】
従来の自動販売機９００は以上の構成であるから、たとえば、冷却ユニット９０５を稼働して蒸発器５６に冷熱を供給すると、循環する空気は蒸発器５６において熱交換されて冷却され、冷却された空気が通気穴を経由して商品ラック４に向けて吹き出し、商品ラック４に集積した商品３を冷却する。そして、該熱交換によって暖まった空気は循環ダクト１１を経由して再度蒸発器５６に戻ってくる。
【０００６】
一方、蒸発器５６への冷熱の供給を停止して、ヒータ７に通電して空気を加熱すると、加熱された空気が通気穴を経由して商品ラック４に向けて吹き出し、商品ラック４に集積した商品３を加熱する。そして、該熱交換によって冷えた空気は循環ダクト１１を経由して再度ヒータ７に戻ってくる。
すなわち、商品収納庫１内の空気は、熱交換を繰り返しながら循環することになる。
【０００７】
図８は従来の自動販売機における冷却ユニットを示す構成図である。図８において、本自動販売機は複数の商品収納庫（図示しない、以下、説明の便宜のため商品収納庫１ａ、１ｂ、１ｃと称する場合がある）を有し、何れの商品収納庫からも加熱手段としてのヒータを撤去して、冷却ユニットの凝縮器が放散する温熱を商品の加熱用に回収するようにしたものである。
【０００８】
すなわち、冷却ユニット９０５は、冷媒を圧縮する圧縮器５１と、圧縮器５１によって圧縮された高圧冷媒を凝縮する凝縮器５３と、凝縮器５３によって凝縮された高圧冷媒を減圧する膨張機構５４（電子膨張弁、キャピラリーチューブ等）と、膨張機構５４によって減圧された低温低圧冷媒を各商品収納庫に振り分ける開閉弁５５ａ、５５ｂ、５５ｃと、各商品収納庫にそれぞれ設置され、供給された低温低圧冷媒を蒸発させる蒸発器５６ａ、５６ｂ、５６ｃと、蒸発器５６ａ、５６ｂ、５６ｃにおいて加熱された低圧冷媒を集積するアキュムレータ５８と、これ等機器を連結する冷却配管６０とを具備する。
また、圧縮器５１によって圧縮された高圧冷媒を直接、蒸発器５６ｂ、５６ｃに供給するための加熱配管６１ｂ、６１ｃと、蒸発器５６ｂ、５６ｃにおいて熱交換された高圧冷媒を膨張機構５４の上流側に戻す平熱配管６２ｂ、６２ｃが設けられ、加熱配管６１ｂ、６１ｃには開閉弁５２ｂ、５２ｃが設置されている。
【０００９】
図９は、図８に示す冷却ユニットにおける作動の一例を示す構成図である。図９において、商品収納庫１ａ、１ｂを冷却庫、すなわち、蒸発器５６ａ、５６ｂに低温低圧冷媒を供給し、一方、商品収納庫１ｃを加熱庫、すなわち、蒸発器５６ｃに高圧高温冷媒を供給している。なお冷媒の流れている加熱配管６１ｃおよび平熱配管６２ｃを実線で、冷媒の流れていない冷加熱配管６１ｂよび平熱配管６２ｂを破線で示す。
すなわち、冷却配管６０に設置された開閉弁５５ｃ、５７ｃが閉じ、蒸発器５６ｃへの低温低圧冷媒の供給が停止し、かつ、加熱配管６１ｃに設置された開閉弁５２ｃが開き、高温高圧冷媒が蒸発器５６ｃに供給されている。したがって、該高温高圧冷媒は蒸発器５６ｃにおいて熱交換して凝縮され、平熱配管６２ｃを経由して膨張機構５４の上流で冷却配管６０内の低温高圧冷媒に合流している。
これによって、商品収納庫の外に設置された凝縮器５３から放散されていた温熱を、商品収納庫１ｃ内に設置された蒸発器５６ｃにおいて回収することができるから、省電力効果の高い自動販売機が提供されている（例えば、特許文献１参照。）。
【００１０】
【特許文献１】特開平５−２３３９４１号公報（第２頁、図１）
【発明の開示】
【発明が解決しようとする課題】
【００１１】
しかしながら、特許文献１に開示された発明は、商品収納庫内の蒸発器を凝縮器として使用しているため、冷媒を循環させる配管系（以下「冷媒回路」と称す）が複雑になって、該冷媒回路に設置された開閉弁の操作が煩雑になるという問題がある。
【００１２】
本発明は上記課題を解決するためのものであり、冷却ユニットの排熱を回収するための冷媒回路の構成を簡素にすることができる自動販売機を得ることを目的とする。
【課題を解決するための手段】
【００１３】
本発明に係る自動販売機は（請求項１）は、断熱材によって囲まれ一面に開口部が設けられた筐体と、商品を搬出する商品搬出口が設けられ前記開口部を開閉自在な断熱扉とを具備する商品収納庫と、
該商品収納庫内に配置され、商品を収納して順次下方に搬出する機能を有する商品ラックと、
前記商品ラックから落下した商品を前記商品搬出口に誘導するシュータと、
前記シュータの下方に設置され、空気を送る送風手段が配置された送風ダクトと、
該送風手段によって送られた空気を前記商品ラックの内部を経由して前記送風手段に戻すための循環ダクトと、
該循環ダクトと前記送風ダクトとを連結し、後記蒸発器が配置された冷却ダクトと、
該循環ダクトと前記送風ダクトとを連結し、後記第２凝縮器が配置された加熱ダクトと、
前記循環ダクトを流れる空気を前記冷却ダクトまたは加熱ダクトの一方に流入させるために風路を切り換える風路切替手段と、
冷媒を圧縮する圧縮器と、該圧縮器によって圧縮された冷媒を凝縮する第１凝縮器および第２凝縮器と、該第１凝縮器または第２凝縮器の一方または両方によって凝縮された冷媒を減圧する膨張機構と、該膨張機構によって減圧された冷媒を蒸発させる蒸発器と、前記圧縮器と第１凝縮器と第２凝縮器と減圧機構と蒸発器とをそれぞれ連結して冷媒を循環させる冷媒回路と、該冷媒回路に設置され冷媒の流路を切り換える冷媒回路切替手段とを具備する冷却ユニットとを有し、
前記風路切替手段を切り換えて前記循環ダクトから冷却ダクトに空気を流入させ、かつ、前記冷媒回路切替手段を切り換えて前記蒸発器に冷媒を流入させると共に前記第２凝縮器への冷媒の流入を停止することによって商品収納庫内の空気を冷却すること、
あるいは、前記風路切替手段を切り換えて前記循環ダクトから加熱ダクトに空気を流入させ、かつ、前記冷媒回路切替手段を切り換えて前記蒸発器への冷媒の流入を停止すると共に前記第２凝縮器に冷媒を流入させることによって商品収納庫内の空気を加熱することを特徴とする。
【００１４】
本発明に係る自動販売機は（請求項２）は、断熱材によって囲まれ一面に開口部が設けられた筐体と、商品を搬出する商品搬出口が設けられ前記開口部を開閉自在な断熱扉とを具備する商品収納庫と、
該一方の商品収納庫および他方の商品収納庫のそれぞれに配置され、商品を収納して順次下方に搬出する機能を有する商品ラックと、
前記商品ラックから落下した商品を前記商品搬出口に誘導するシュータと、
前記シュータの下方に設置され、空気を送る送風手段が配置された送風ダクトと、
該送風手段によって送られた空気を前記商品ラックの内部を経由して前記送風手段に戻すための循環ダクトと、
該循環ダクトと前記送風ダクトとを連結し、後記蒸発器が配置された冷却ダクトと、
該循環ダクトと前記送風ダクトとを連結し、後記第２凝縮器が配置された加熱ダクトと、
前記循環ダクトを流れる空気を前記冷却ダクトまたは加熱ダクトの一方に流入させるために風路を切り換える風路切替手段と、
冷媒を圧縮する圧縮器と、該圧縮器によって圧縮された冷媒を凝縮する第１凝縮器および第２凝縮器と、該第１凝縮器または第２凝縮器の一方または両方によって凝縮された冷媒を減圧する膨張機構と、該膨張機構によって減圧された冷媒を蒸発させる蒸発器と、前記圧縮器と第１凝縮器と第２凝縮器と減圧機構と蒸発器とをそれぞれ連結して冷媒を循環させる冷媒回路と、該冷媒回路に設置され冷媒の流路を切り換える冷媒回路切替手段とを具備する冷却ユニットとを有し、
前記第１凝縮器から所定の加熱温度の冷媒を第２凝縮器に供給すると共に、前記他方の商品収納庫において、前記風路切替手段を切り換えて前記循環ダクトから加熱ダクトに空気を流入させて該空気を加熱し、
さらに、前記第２凝縮器において凝縮された冷媒を前記一方の商品収納庫の凝縮器に供給すると共に、前記一方の商品収納庫において、前記風路切替手段を切り換えて前記循環ダクトから冷却ダクトに空気を流入させて該空気を冷却することを特徴とする。
【００１５】
本発明に係る自動販売機は（請求項３）は、前記商品収納庫が複数であって、該商品収納庫のそれぞれが前記加熱ダクトと送風ダクトとの連通部である加熱吹出口を開通または閉塞する風路閉塞手段を有し、かつ、該商品収納庫のそれぞれに設置された前記加熱ダクトが連通し、
前記商品収納庫の一方を冷却する際、該一方の商品収納庫の風路切替手段を切り換えて前記循環ダクトから冷却ダクトに空気を流入させて前記循環ダクトから加熱ダクトへの空気の流入を停止し、かつ、前記冷媒回路切替手段を切り換えて該一方の商品収納庫の前記蒸発器に冷媒を流入させると共に、前記風路閉塞手段によって前記加熱ダクトと送風ダクトとの連通部である加熱吹出口を閉塞することによって商品収納庫内の空気を冷却すること、
および、前記商品収納庫の他方を加熱する際、該他方の商品収納庫の風路切替手段を切り換えて前記循環ダクトから冷却ダクトへの空気の流入を停止して前記循環ダクトから加熱ダクトに空気を流入させ、かつ、前記冷媒回路切替手段を切り換えて該他方の商品収納庫の前記蒸発器への冷媒の流入を停止させると共に前記第２凝縮器に冷媒を流入させ、さらに、前記風路閉塞手段によって前記加熱ダクトと送風ダクトとの連通部である加熱吹出口を開通することによって商品収納庫内の空気を加熱することを特徴とする。
【００１６】
本発明に係る自動販売機は（請求項４）は、前記風路切替手段が、前記循環ダクトと加熱ダクトとの連通部である加熱吸込口を開閉する加熱遮風材と、該加熱遮風材に固定された駆動アームとを具備し、
前記風路閉塞手段が、前記加熱ダクトと送風ダクトとの連通部である加熱吹出口を開閉する吹出口閉塞材と、該吹出口閉塞材に固定された従動アームとを具備し、
前記駆動アームと従動アームとが連係アームによって連結されることにより、前記加熱遮風材の開閉によって、これに連係して前記吹出口閉塞材が開閉されることを特徴とする。
【００１７】
本発明に係る自動販売機は（請求項５）は、前記風路切替手段が、前記循環ダクトと冷却ダクトとの連通部である循環ダクト吹出口を開閉する冷却遮風材と、該冷却遮風材に固定されて下方に延設された押し開き突起と、前記循環ダクトと加熱ダクトとの連通部である加熱吸込口を開閉する加熱遮風材と、該加熱遮風材を所定方向に向かって付勢するバネとを具備し、
前記冷却遮風材が前記循環ダクト吹出口を開通した際、前記加熱遮風材は前記バネによって所定方向に向かって付勢されて前記加熱吸込口を閉塞し、
一方、前記冷却遮風材が前記循環ダクト吹出口を閉塞した際、前記加熱遮風材はこれに当接した前記押し開き突起によって押し開かれて前記加熱吸込口を開通することを特徴とする。
【００１８】
本発明に係る自動販売機は（請求項６）は、前記冷媒がＨＣ冷媒またはＣＯ2冷媒であることを特徴とする。
【発明の効果】
【００１９】
本発明に係る自動販売機（請求項１）は、凝縮器を第１凝縮器と第２凝縮器との複数で構成し、第１凝縮器を商品収納庫外に、第２凝縮器を商品収納庫に設けられた加熱ダクト内に設置することを特徴とするため、第２凝縮器における熱交換によって商品収納庫内の空気を加熱するから、冷却ユニットの排熱が効果的に回収されると共に、冷媒回路の構成が簡素になる。
【００２０】
本発明に係る自動販売機（請求項２）は、凝縮器を第１凝縮器と、該第１凝縮器に直列に連結された第２凝縮器との複数で構成し、第２凝縮器に所定温度に加熱された冷媒を供給して他方の商品収納庫の空気を加熱し、さらに、該加熱によって凝縮された冷媒を一方の商品収納庫の蒸発器に供給して一方の商品収納庫の空気を冷却するから、冷却ユニットの排熱が効果的に回収されると共に、冷媒回路の構成がさらに簡素になる。
【００２１】
本発明に係る自動販売機（請求項３）は、商品収納庫が複数であって、これらが共通の加熱ダクトを有し、かつ該加熱ダクトに１台の第２凝縮器が設置されるため、複数の商品収納庫のそれぞれに第２凝縮器を設置する必要がないから、第２凝縮器を１台に限定することができ、冷媒回路の構成が簡素になる。
【００２２】
本発明に係る自動販売機（請求項４）は、加熱ダクトの加熱吸込口を開通または閉塞する加熱遮風材と、加熱ダクトの加熱吹出口を開通または閉塞する吹出口閉塞材とが連係して動くから、加熱遮風材および吹出口閉塞材を動く傾動手段が簡素になると共に、加熱ダクトの加熱吸込口と加熱吹出口のそれぞれが同期して確実に開通または閉塞する。
【００２３】
本発明に係る自動販売機（請求項５）は、循環ダクト吹出口を開通または閉塞する冷却遮風材が下降した際、加熱ダクトの加熱吸込口を開通または閉塞する加熱遮風材が、冷却遮風材によって押し開かれるから、加熱遮風材を傾動する傾動手段が不要になる。
【００２４】
本発明に係る自動販売機（請求項６）は、冷媒がＨＣ冷媒またはＣＯ2冷媒であるから、冷却ユニットにおいて環境友好的な効率のよい冷凍サイクルが形成される。
【発明を実施するための最良の形態】
【００２５】
以下、図面に基づいて実施形態を説明する、なお、以下の各図または背景技術（図７〜９）と同じ部分にはこれと同じ符号を付し、一部の説明を省略する。
【００２６】
（商品収納庫）
図１および図２は本発明の自動販売機に係る実施形態の構成を模式的に示す、図１の（ａ）は側面視の断面図、図１の（ｂ）は正面視の断面図、図２の（ａ）および（ｂ）は一部を拡大して示す側面視の断面図である。
図１の（ｂ）において、自動販売機１００は、隔壁８ａｂ、８ｂｃによって商品収納庫１ａ、１ｂ、１ｃの３室に仕切られている。そして、商品収納庫１ａは冷却専用であって、商品収納庫１ｂおよび商品収納庫１ｃは冷却加熱兼用である。なお、商品収納庫１ａ、１ｂ、１ｃに設置される部材については、それぞれ符号にａ、ｂ、ｃを付し、商品収納庫１ａ、１ｂ、１ｃに共通する部材の説明においては、符号へのａ、ｂ、ｃの付記を省略する。
【００２７】
（冷却ダクト）
図１および図２において、商品収納庫１の床面１９には、蒸発器５６と送風ファン９とが設置されている。そして、蒸発器５６は循環ダクト１１の循環ダクト吹出口１６に連通する冷却ダクト１７内に配置され、送風ファン９は冷却ダクト１７に連通する送風ダクト１８内に配置されている。
すなわち、背景技術の熱交換室９０（図７参照）を、上流側の冷却ダクト１７と、下流側の送風ダクト１８と、後記する加熱ダクト７０に分離して称呼する。
【００２８】
（加熱ダクト）
商品収納庫１ｂおよび商品収納庫１ｃの下方には加熱ダクト７０が設けられている。加熱ダクト７０は、商品収納庫１ｂの循環ダクト１１ｂおよび送風ダクト１８ｂと、商品収納庫１ｃの循環ダクト１１ｃおよび送風ダクト１８ｃとにそれぞれ連通され、周囲を断熱材（図中、斜線にて示す）で包囲されている。
すなわち、商品収納庫１ｂ、１ｃの床面１９ｂ、１９ｃには、循環ダクト１１ｂ、１１ｃに連通する開口部７１ｂ、７１ｃ（以下「加熱吸込口」と称す）と、送風ダクト１８ｂ、１８ｃに連通する開口部７２ｂ、７２ｃ（以下「加熱吹出口」と称す）が設けれ、加熱吸込口７１ｂ、７１ｃと加熱吹出口７２ｂ、７２ｃとを連通する形態で加熱ダクト７０が形成され、そこに第２凝縮器５９（これについては別途詳細に説明する）が配置されている。なお、図示する加熱吸込口７１、加熱吹出口７２並びに断熱材やその他の機器の大きさは例示であって、これに限定するものではない。
【００２９】
（風路）
加熱吸込口７１ｂ、７１ｃには、これを開通または閉塞する風路切替手段２０ｂ、２０ｃ（これについては別途詳細に説明する）がそれぞれ設置され、循環ダクト１１を流れる空気は、冷却ダクト１７または加熱ダクト７０の一方に送り込まれる（他方への送風が停止されるに同じ）。
また、加熱吹出口７２ｂ、７２ｃには、これを開通または閉塞する風路閉塞手段４０ｂ、４０ｃ（これについては別途詳細に説明する）がそれぞれ設置され、送風ダクト１８を流れる空気の加熱ダクト７０への侵入が防止される。
なお、図中、矢印は風路（風の流れ）を概念的に示すものであるが、実際は全ての商品ラック４に向かって風路が形成され、複雑な様相を呈するものである。
【００３０】
したがって、たとえば、商品収納庫１ｂの風路切替手段２０ｂを切り換えて、循環ダクト１１を流れる空気を冷却ダクト１７ｂに送り込めば（加熱吸込口７１ｂを閉塞するに同じ）、該空気は蒸発器５６ｂによって冷却されることになる。このとき、風路閉塞手段４０ｂによって加熱吹出口７２ｂを閉塞するから、冷却された空気が加熱ダクト７０に侵入することがない（図２の（ａ）参照）。
【００３１】
一方、商品収納庫１ｃの風路切替手段２０ｃを切り換えて、循環ダクト１１ｃを流れる空気を加熱ダクト７０に送り込めば（循環ダクト吹出口１６ｃを閉塞するに同じ）、該空気は第２凝縮器５９によって加熱され、加熱吹出口７２ｃを経由して送風ファン９ｃに吸い込まれることになる。このとき、隣接する商品収納室１ｂの加熱吹出口７２ｂが風路閉塞手段４０ｂによって閉塞されているから、加熱された空気が隣接する商品収納室１ｂの送風ダクト１８ｂに侵入することがない（図２の（ｂ）参照）。
【００３２】
（冷却ユニットその１）
図３は本発明の自動販売機に係る実施形態における冷却ユニットを示す構成図である。  図３において、冷却ユニット１０５は、冷媒を圧縮する圧縮器５１と、圧縮器５１によって圧縮された高圧冷媒を凝縮する第１凝縮器５３および第２凝縮器５９と、第１凝縮器５３および第１凝縮器５９の一方または両方によって凝縮された高圧冷媒を減圧する膨張機構５４（電子膨張弁、キャピラリーチューブ等）と、膨張機構５４によって減圧された低温低圧冷媒を各商品収納庫に振り分ける開閉弁５５ａ、５５ｂ、５５ｃと、各商品収納庫にそれぞれ設置され、供給された低温低圧冷媒を蒸発させる蒸発器５６ａ、５６ｂ、５６ｃと、蒸発器５６ａ、５６ｂ、５６ｃにおいて加熱された低圧冷媒を集積するアキュムレータ５８と、これ等機器を連結する冷却配管６０とを具備する。
【００３３】
すなわち、背景技術における凝縮器５３が第１凝縮器５３および第２凝縮器５９の２台に分割されている。そして、加熱配管６９によって第２凝縮器５９が第１凝縮器５３と並列に配置され、それぞれの入側に開閉弁（流量調整機能を具備している）５２ｆ、５２ｅが設置されている。なお、アキュムレータ５８の設置を省力してもよく、逆止弁（逆流防止弁）を適宜配置してもよい。
【００３４】
（ＣＣＣモード）
冷却ユニット１０５は以上の構成であるから、たとえば、商品収納庫１ａ、１ｂ、１ｃの全てを冷却する冷却モードの場合、開閉弁５２ｆを閉じて、第２凝縮器５９への高温高圧冷媒の供給を停止し、かつ、開閉弁５５ａ、５５ｂ、５５ｃの全てを開いて、蒸発器５６ａ、５６ｂ、５６ｃに低温低圧冷媒を供給する。
【００３５】
（ＣＣＨモード）
また、商品収納庫１ａ、１ｂを冷却して、商品収納庫１ｃを加熱する冷却モードの場合、開閉弁５２ｆを開いて第２凝縮器５９に高温高圧冷媒の供給し、一方、開閉弁５５ａ、５５ｂを開いて蒸発器５６ａ、５６ｂに低温低圧冷媒を供給すると共に、開閉弁５５ｃを閉じて蒸発器５６ｃへの低温低圧冷媒の供給を停止する。
このとき、風路切替手段２０ｂ、２０ｃおよび風路閉塞手段４０ｂ、４０ｃを操作して、商品収納庫１ｂの循環ダクト１１ｂからは冷却ダクト１７ｂに空気を流し、商品収納庫１ｃの循環ダクト１１ｃからは加熱ダクト７０に空気を流すことになる。
【００３６】
（ＣＨＨモード）
さらに、商品収納庫１ａを冷却して、商品収納庫１ｂ、１ｃを加熱する冷却モードの場合、開閉弁５２ｆを開いて第２凝縮器５９に高温高圧冷媒の供給し、一方、開閉弁５５ａを開いて蒸発器５６ａに低温低圧冷媒を供給すると共に、開閉弁５５ｂ、５５ｃを閉じて蒸発器５６ｂ、５６ｃへの低温低圧冷媒の供給を停止する。
このとき、風路切替手段２０ｂ、２０ｃおよび風路閉塞手段４０ｂ、４０ｃを操作して、商品収納庫１ｂ、１ｃの循環ダクト１１ｂ、１１ｃのそれぞれから加熱ダクト７０に空気を流すことになる。
【００３７】
（冷却ユニットその２）
図４は本発明の自動販売機に係る実施形態における冷却ユニットの他の実施形態を示す構成図である。
図４において、冷却ユニット２０５は、第１凝縮器５３および第２凝縮器５９が冷却配管６０に直列に配置されている点で、第１凝縮器５３と第２凝縮器５９とが並列に配置されている冷却ユニット１０５（図３参照）と相違するものの、その他の点で同一であるから説明を省略する。
冷却ユニット２０５は以上の構成であるから、第１凝縮器５３および第２凝縮器５９の両方に常時高圧冷媒が流れている。したがって、第１凝縮器５３および第２凝縮器５９のそれぞれおける放熱量は庫外ファン６または送風ファン９の稼働によって制御されることになる。
【００３８】
（ＣＣＣモード）
たとえば、商品収納庫１ａ、１ｂ、１ｃの全てを冷却する冷却モードの場合、庫外ファン６の送風を強化して、第２凝縮器５９を通過する際の冷媒温度を十分に低くする。そして、開閉弁５５ａ、５５ｂ、５５ｃの全てを開いて、蒸発器５６ａ、５６ｂ、５６ｃに低温低圧冷媒を供給する。
このとき、風路切替手段２０ｂ、２０ｃおよび風路閉塞手段４０ｂ、４０ｃを操作して、加熱ダクト７０の加熱吸込口７１ｂ、７１ｃおよび加熱吹出口７２ｂ、７２ｃを閉塞する。
【００３９】
（ＣＣＨモード）
また、商品収納庫１ａ、１ｂを冷却して、商品収納庫１ｃを加熱する冷却モードの場合、庫外ファン６の送風を調整して、第２凝縮器５９に供給される冷媒温度を所定の高温にする。そして、商品収納庫１ｃ行きの開閉弁５５ｃを閉じ、風路切替手段２０ｃおよび風路閉塞手段４０ｃを操作して、循環ダクト１１ｃから加熱ダクト７０に空気を流す。
そうすると、第２凝縮器５９における熱交換によって空気は加熱され、冷媒は凝縮されるから、該凝縮された冷媒が商品収納庫１ａ、１ｂに供給されることになる。すなわち、商品収納庫１ａ、１ｂｃ行きの開閉弁５５ａ、５５ｂを開けて蒸発器５６ａ、５６ｂに冷媒を供給する。
このとき、風路切替手段２０ｂ、２０ｃおよび風路閉塞手段４０ｂ、４０ｃを操作して、商品収納庫１ｂでは冷却ダクト１７ｂに空気を流して加熱吸込口７１ｂおよび加熱吹出口７２ｂを閉塞し、一方、商品収納庫１ｃでは加熱ダクト７０に空気を流して循環ダクト吹出口１６ｃ（冷却ダクト１７ｃに同じ）を閉塞する。
【００４０】
（ＣＨＨモード）
さらに、商品収納庫１ａを冷却して、商品収納庫１ｂ、１ｃを加熱する冷却モードの場合、庫外ファン６の送風を調整して、第２凝縮器５９に供給される冷媒温度を所定の高温にする。そして、商品収納庫１ｂ、１ｃ行きの開閉弁５５ｂ、５５ｃを閉じ、風路切替手段２０ｃおよび風路閉塞手段４０ｃを操作して、循環ダクト１１ｂ、１１ｃから加熱ダクト７０に空気を流す。
そうすると、第２凝縮器５９における熱交換によって空気は加熱され、冷媒は凝縮されるから、該凝縮された冷媒が商品収納庫１ａに供給されることになる。すなわち、商品収納庫１ａ行きの開閉弁５５ａを開けて蒸発器５６ａに冷媒を供給する。
このとき、風路切替手段２０ｂ、２０ｃおよび風路閉塞手段４０ｂ、４０ｃを操作して、商品収納庫１ｂ、１ｃにおいて、循環ダクト吹出口１６ｂ、１６ｃを閉塞し、一方、加熱吸込口７１ｂ、７１ｃと加熱吹出口７２ｂ、７２ｃを開通して、加熱ダクト７０に空気を流す。
【００４１】
（風路切替手段、風路閉塞手段）
図５は本発明の自動販売機に係る実施形態における風路切替手段および風路閉塞手段を模式的に示す一部を透視した斜視図である。
図５において、風路切替手段２０は、冷却ダクト１７に連通する循環ダクト吹出口１６を開通および閉塞自在な冷却遮風材２１と、加熱ダクト７０の加熱吸込口７１を開通および閉塞自在な加熱遮風材３１とを有している。
一方、風路閉塞手段４０は、加熱ダクト７０の加熱吹出口７２を開通および閉塞自在な吹出口閉塞材４１を有している。そして、加熱遮風材３１と吹出口閉塞材４１とは連係機構によって連結されている（これについては別途詳細に説明する）。
【００４２】
（冷却遮風材）
冷却遮風材２１は、循環ダクト吹出口１６を閉塞自在な広がりを有し、下方に延設された押し開き突起２２と、循環ダクト１１に設置された昇降ガイド２３が貫通する案内孔２４が設けられている。
また、循環ダクト１１にはソレノイド２５が設置され、ソレノイド２５によって前後進されるプランジャ２６は、リンク機構２７を介して冷却遮風材２１に連結されている。
したがって、ソレノイド２５がプランジャ２６を前進すると、リンク機構２７が折り畳まれ、冷却遮風材２１は引き上げられる。このとき、ソレノイド２５の移動量（プランジャ２６の移動量に同じ）がリンク機構２７によって増幅されるから、循環ダクト吹出口１６を閉塞していた冷却遮風材２１を、循環ダクト吹出口１６を開通するに十分な距離だけ引き上げることができる。
【００４３】
（加熱遮風材）
一方、冷却遮風材２１が引き上げられて循環ダクト吹出口１６が開通しているとき、加熱遮風材３１は加熱ダクト７０の加熱吸込口７１を閉塞している。すなわち、加熱遮風材３１は加熱吸込口７１を閉塞自在な広がりを有し、回転軸３２（以下「加熱遮風軸」と称す）が設置されている。加熱遮風軸３２は循環ダクト１１または床面１９に回転自在に軸支され、加熱遮風材３１が水平の姿勢になるように加熱遮風バネ３３（後記する吹出口閉塞バネ４３に準じる）によって付勢されている。
なお、図５では、冷却遮風材２１および加熱遮風材３１を明りょうに示すため、本来水平になっている冷却遮風材２１および加熱遮風材３１をわずかに傾動した姿勢で示している。
【００４４】
（吹出口閉塞材）
吹出口閉塞材４１は加熱吸込口７１を閉塞自在な広がりを有し、回転軸４２（以下「吹出口閉塞軸」と称す）が設置されている。吹出口閉塞軸４２は床面１９に回転自在に軸支され、吹出口閉塞材４１が水平の姿勢になるように吹出口閉塞バネ４３によって付勢されている。
【００４５】
（連係機構）
図６は本発明の自動販売機に係る実施形態における連係機構を模式的に説明する斜視図である。図６において、加熱ダクト７０の加熱吸込口７１に設置された加熱遮風材３１（加熱遮風軸３２に同じ）に所定長さの駆動アーム３４が固定され、一方、加熱吹出口７２に設置された吹出口閉塞材４１（吹出口閉塞軸４２に同じ）に駆動アーム３４と略同一長さの従動アーム４４が固定されている。そして、駆動アーム３４の略先端部と従動アーム４４の略先端部が連係アーム４５によって、相互に回動自在に連結されている。
【００４６】
したがって、冷却遮風材２１が下降すると、その押し開き突起２２の下端が加熱遮風材３１に当接するから、加熱遮風材３１は加熱遮風軸３２を中心にして傾動する。すなわち、循環ダクト吹出口１６が閉塞されると、同時に、加熱ダクト７０の加熱吸込口７１が開通することになる。
【００４７】
また、このとき、加熱遮風軸３２は略９０°回転する。このため、加熱遮風軸３２に固定された駆動アーム３４は、略鉛直に起立した状態から水平に平伏する状態に傾動するから、かかる動作は、連係アーム４５を介して従動アーム４４に伝達される。すなわち、循環ダクト吹出口１６が閉塞されて冷却ダクト１７への風路が断たれると同時に、加熱ダクト７０の加熱吸込口７１および加熱吹出口７２が同期して開通し、第２凝縮器５９を通過する風路が形成されることになる。
【００４８】
（その他の実施形態）
以上は、商品収納庫が３室の場合で、その内の２室に共通の加熱ダクトが設けられ、加熱ダクトに１台の第２凝縮器が配置されたものを例示しているが、本発明はこれに限定するものではなく、商品収納庫の室数や第２凝縮器の台数はいずれであってもよい。
たとえば、第２凝縮器を複数に分割して、それぞれをそれぞれの商品収納庫に配置してもよい。このとき、各商品収納庫毎に設けられた加熱ダクトに他の商品収納庫から冷却された空気が侵入することがないから、風路閉塞手段を撤去してもよい。
さらに、風路切替手段はリンク機能によって昇降する冷却遮風材を例示しているが、本発明はこれに限定するものではなく、たとえば、並進運動をするアクチュエータやラック／ピニオン機構を循環ダクトの上方に配置して、これによって昇降してもよい。
また、風路切替手段の加熱遮風材と風路閉塞手段の吹出口閉塞材とは、連係アームによって連結されるものに限定するものではなく、たとえば、連係アームを撤去してそれぞれに傾動手段を設置してもよい。あるいは、加熱遮風材または吹出口閉塞材を傾動に代えて並進させてもよい。
【産業上の利用可能性】
【００４９】
本発明は以上の構成であるから、各種自動販売機における簡素かつ有効な省エネ手段として広く利用することができる。
【図面の簡単な説明】
【００５０】
【図１】本発明の自動販売機に係る実施形態の構成を模式的に示す側面視の断面図。
【図２】図１示す自動販売機の一部を拡大して示す断面図。
【図３】図１示す自動販売機の冷却ユニットを示す構成図。
【図４】図１に示す自動販売機の冷却ユニットの他の実施形態を示す構成図。
【図５】図１に示す自動販売機の風路切替手段および風路閉塞手段を示す斜視図。
【図６】図１に示す自動販売機の連係機構を説明する斜視図。
【図７】従来の自動販売機を示す側面視の断面図。
【図８】従来の自動販売機における冷却ユニットを示す構成図。
【図９】図８に示す冷却ユニットにおける作動の一例を示す構成図。
【符号の説明】
【００５１】
１ 商品収納庫
２ シュータ
３ 商品
４ 商品ラック
５ 商品搬出口
６ 庫外ファン
７ ヒータ
８ａｂ 隔壁
８ｂｃ 隔壁
９ 送風ファン
１０ 切り出し装置
１１ 循環ダクト
１２ 断熱扉
１３ 切り出し装置
１４ 後面壁
１５ 循環ダクト吸込口
１６ 循環ダクト吹出口
１７ 冷却ダクト
１８ 送風ダクト
１９ 床面
２０ 風路切替手段
２１ 冷却遮風材
２２ 押し開き突起
２３ 昇降ガイド
２４ 案内孔
２５ ソレノイド
２６ プランジャ
２７ リンク機構
３１ 加熱遮風材
３２ 加熱遮風軸
３３ 加熱遮風バネ
３４ 駆動アーム
４０ 風路閉塞手段
４１ 吹出口閉塞材
４２ 吹出口閉塞軸
４３ 吹出口閉塞バネ
４４ 従動アーム
４５ 連係アーム
５１ 圧縮器
５２ｅ 開閉弁
５２ｆ 開閉弁
５３ 第１凝縮器
５４ 膨張機構
５５ａ 開閉弁
５５ｂ 開閉弁
５５ｃ 開閉弁
５６ 蒸発器
５８ アキュムレータ
５９ 第２凝縮器
６０ 冷却配管
６９ 加熱配管
７０ 加熱ダクト
７１ 加熱吸込口
７２ 加熱吹出口
１００ 自動販売機
１０５ 冷却ユニット
２０５ 冷却ユニット
【図１】
2005309849.tif 000003
【図２】
2005309849.tif 000004
【図３】
2005309849.tif 000005
【図４】
2005309849.tif 000006
【図５】
2005309849.tif 000007
【図６】
2005309849.tif 000008
【図７】
2005309849.tif 000009
【図８】
2005309849.tif 000010
【図９】
2005309849.tif 000011